(57)【要約】【課題】  アクティブマトリックス型の駆動方式に対応した表示パネルを備えた表示装置において、動画像をボケやにじみのない良好な表示品質で表示することができるとともに、映像データ（表示データ）に対応した適切な階調で画像情報を表示することができる表示装置及びその表示駆動方法を提供する。【解決手段】  表示装置１００の表示駆動方法は、例えば、表示パネル１１０の１〜４行目の表示画素ＥＭを一組とするグループにおいては、１行目の表示画素ＥＭから順に表示データの書込動作が実行され、４行目の表示画素ＥＭについて書込動作が終了するまでの間、当該グループの４行分の表示画素ＥＭが非発光動作する。そして、１〜４行目の全ての行の表示画素ＥＭについて書込動作が終了したタイミングで、各表示画素ＥＭに書き込まれた表示データに基づいて、当該グループの４行分の表示画素ＥＭが一斉に発光動作する。【選択図】  図９
2006330140.tif 000002
【特許請求の範囲】
【請求項１】
行方向に配設され複数の走査ライン及び列方向に配設された複数のデータラインの各交点近傍に、複数の表示画素が配列された表示パネルを有する表示装置において、
所定のタイミングで前記表示パネルの各行ごとの前記表示画素に走査信号を順次印加して、選択状態に設定する走査駆動部と、
所望の画像情報を表示するための表示データに応じた階調信号を生成し、前記選択状態に設定された行の前記表示画素に順次供給するデータ駆動部と、
前記表示パネルに配列された前記複数の表示画素を、複数行ごとにグループ分けした各グループごとの各行の前記表示画素に、前記データ駆動部から供給された前記階調信号に基づいて前記表示データに応じた階調状態で表示動作させるための電源電圧を印加する電源駆動部と、
タイミング制御信号を供給することにより、前記走査駆動部及び前記データ駆動部、前記電源駆動部の各々を所定のタイミングで動作させ、少なくとも、前記表示パネルの前記各グループごとの各行の前記表示画素を、前記表示データに応じた階調状態で一斉に表示動作させる駆動制御部と、
を備えていることを特徴とする表示装置。
【請求項２】
前記駆動制御部は、少なくとも、前記各グループごとの各行の前記表示画素に、前記データ駆動部から前記階調信号を順次供給する期間中、前記電源駆動部により当該グループの各行の前記表示画素を非表示動作させる前記電源電圧を印加する前記タイミング制御信号を生成する手段を有していることを特徴とする請求項１記載の表示装置。
【請求項３】
前記電源駆動部は、前記各グループごとの各行の前記表示画素に、各行ごとに個別に配設された電源ラインを介して、前記電源電圧を印加することを特徴とする請求項１又は２記載の表示装置。
【請求項４】
前記電源駆動部は、前記各グループごとの各行の前記表示画素に、当該各行に分岐して配設された単一の電源ラインを介して、前記電源電圧を印加することを特徴とする請求項１又は２記載の表示装置。
【請求項５】
前記各グループの複数行の前記表示画素は、連続する複数の行の前記表示画素からなることを特徴とする請求項１乃至４のいずれかに記載の表示装置。
【請求項６】
前記各グループの複数行の前記表示画素は、連続しない複数の行の前記表示画素からなることを特徴とする請求項１乃至４のいずれかに記載の表示装置。
【請求項７】
前記各表示画素は、発光素子と、前記発光素子の発光動作を制御する発光駆動回路と、を備え、
前記発光駆動回路は、少なくとも、前記階調信号に基づく電荷を蓄積する電荷蓄積手段と、前記電荷蓄積手段に蓄積された電荷量に応じて所定の電流値を有する発光駆動電流を生成し、前記発光素子に供給する発光制御手段と、前記電荷蓄積手段への前記階調信号に基づく電荷の供給状態を制御する書込制御手段と、を備えていることを特徴とする請求項１乃至６のいずれかに記載の表示装置。
【請求項８】
前記各表示画素に設けられる前記発光制御手段は、一端が前記電源ラインに接続され、他端が前記発光素子に接続されて、前記発光駆動電流を流す導通路と、前記電荷蓄積手段に接続され、前記導通路の導通状態を制御して前記発光素子への前記発光駆動電流の供給状態を制御する制御端子を備えていることを特徴とする請求項７記載の表示装置。
【請求項９】
前記各表示画素に設けられる前記書込制御手段は、一端が前記階調信号が供給される前記データラインに接続され、他端が前記電荷蓄積手段を介して前記発光制御手段の前記制御端子に接続された導通路と、前記走査信号が印加される前記走査ラインに接続され、前記電荷蓄積手段への前記階調信号に基づく電荷の供給状態を制御する制御端子を備えていることを特徴とする請求項８記載の表示装置。
【請求項１０】
前記発光駆動回路は、少なくとも、導通路の一端に前記電源電圧が印加され、該導通路の他端に前記発光素子との接続接点が接続された第１のスイッチ手段と、制御端子が前記走査ラインに接続され、導通路の一端に前記電源電圧が印加され、該導通路の他端に前記第１のスイッチ手段の制御端子が接続された第２のスイッチ手段と、制御端子が前記走査ラインに接続され、導通路の一端に前記データラインが接続され、該導通路の他端に前記接続接点が接続された第３のスイッチ手段と、前記第１のスイッチ手段の制御端子と前記接続接点との間に接続された容量素子と、を備え、
前記発光制御手段は、前記第１のスイッチ手段を含んで構成され、前記電荷蓄積手段は、前記容量素子を含んで構成されていることを特徴とする請求項７乃至９のいずれかに記載の表示装置。
【請求項１１】
前記データ駆動部は、前記階調信号として、前記発光素子を所定の輝度階調で発光動作させるための所定の電流値を有する階調電流を生成する手段を備えていることを特徴とする請求項１乃至１０のいずれかに記載の表示装置。
【請求項１２】
前記発光素子は、有機エレクトロルミネッセンス素子であることを特徴とする請求項１乃至１１のいずれかに記載の表示装置。
【請求項１３】
行方向に配設され複数の走査ライン及び列方向に配設された複数のデータラインの各交点近傍に、複数の表示画素が配列された表示パネルを有し、所定のタイミングで前記表示パネルの各行ごとの前記表示画素に走査信号を順次印加して、選択状態に設定するタイミングに同期して、所望の画像情報を表示するための表示データに応じた階調信号を供給することにより、前記表示画素を前記表示データに応じた階調状態で表示動作させて、前記表示パネルに前記所望の画像情報を表示する表示装置の表示駆動方法において、
前記表示パネルに配列された前記複数の表示画素を、複数行ごとにグループ分けした各グループごとの各行の前記表示画素を順次選択状態に設定して前記階調信号を供給するステップと、
前記階調信号が供給された前記グループごとの各行の前記表示画素を、前記表示データに応じた階調状態で一斉に表示動作させるステップと、
を含むことを特徴とする表示装置の表示駆動方法。
【請求項１４】
前記各グループごとの各行の前記表示画素に前記階調信号を順次供給する期間中、当該グループの各行の前記表示画素を非表示動作させることを特徴とする請求項１３記載の表示装置の表示駆動方法。
【請求項１５】
前記各グループごとの各行の前記表示画素に、所定の電源電圧を同時に印加することにより、前記グループごとの各行の前記表示画素を、前記表示データに応じた前記階調状態で一斉に表示動作、又は、非表示動作させることを特徴とする請求項１３又は１４記載の表示装置の表示駆動方法。
【請求項１６】
前記各グループの複数行の前記表示画素は、連続する複数の行の前記表示画素からなることを特徴とする請求項１３乃至１５のいずれかに記載の表示装置の表示駆動方法。
【請求項１７】
前記各グループの複数行の前記表示画素は、連続しない複数の行の前記表示画素からなることを特徴とする請求項１３乃至１５のいずれかに記載の表示装置の表示駆動方法。
【請求項１８】
前記各表示画素は、発光素子を備え、
前記表示画素を前記表示データに応じた階調状態で表示動作させるステップは、前記各表示画素の前記発光素子を前記表示データに応じた輝度階調で発光動作させることを特徴とする請求項１３乃至１７のいずれかに記載の表示装置の表示駆動方法。
【発明の詳細な説明】
【技術分野】
【０００１】
本発明は、表示装置及びその表示駆動方法に関し、特に、アクティブマトリックス型の駆動方式に対応した表示パネルを備えた表示装置及びその表示駆動方法に関する。
【背景技術】
【０００２】
近年、パーソナルコンピュータや映像機器のモニタやディスプレイとして、薄型軽量で低消費電力の表示デバイスの普及が著しい。特に、液晶表示装置（ＬＣＤ）は、近年普及が著しい携帯電話やデジタルカメラ、携帯情報端末（ＰＤＡ）、電子辞書等の携帯機器（モバイル機器）の表示デバイスとして広く適用されている。
【０００３】
また、このような液晶表示装置に続く次世代の表示デバイスとして、有機エレクトロルミネッセンス素子（有機ＥＬ素子）や無機エレクトロルミネッセンス素子（無機ＥＬ素子）、あるいは、発光ダイオード（ＬＥＤ）等のような自己発光型の光学要素（発光素子）を、マトリクス状に配列した表示パネルを備えた発光素子型の表示装置の本格的な普及に向けた研究開発も盛んに行われている。
【０００４】
特に、アクティブマトリックス型の駆動方式を適用した発光素子型の表示装置においては、液晶表示装置に比較して、表示応答速度が速く、また、視野角依存性もなく、高輝度・高コントラスト化、表示画質の高精細化等が可能であるとともに、液晶表示装置のようにバックライトを必要としないので、一層の薄型軽量化や低消費電力化が可能である、という携帯機器への適用に極めて優位な特徴を有している。
【０００５】
ここで、液晶表示装置や発光素子型の表示装置における駆動制御方法について、図面を参照して簡単に説明する。
図１５は、従来技術におけるアクティブマトリックス型の表示装置の要部を示す概略構成図である。また、図１６は、従来技術におけるアクティブマトリックス型の表示装置の表示駆動方法の一例（ホールド型）を模式的に示したタイミングチャートであり、図１７は、従来技術におけるアクティブマトリックス型の表示装置の表示駆動方法の他の例（擬似インパルス型）を模式的に示したタイミングチャートである。ここで、図１６及び図１７においては、後述する実施形態との比較のために、便宜的に表示パネルに１２行（第１行〜第１２行）の表示画素が配列された構成を有する場合について、その表示駆動方法を示した。図中、ｋは正の整数である。なお、各行における映像データの書込動作及び表示動作、ブランキングデータの書込動作及び表示動作を明確にするため、便宜的にハッチングを施して示した。
【０００６】
まず、旧来の陰極線管（ＣＲＴ）を適用した表示装置においては、周知のように、電子ビームを陰極線管内部で偏向させて、蛍光面（スクリーン）を照射しつつ走査することにより、１フレーム期間のうち、僅かな時間だけ発光動作させ、次のフレーム期間において再び電子ビームが照射されるまで、何も表示（発光）しない、インパルス型の表示駆動制御が実行される。
【０００７】
これによれば、前のフレーム期間における画像情報が消えた後に次のフレーム期間の画像情報が表示されるので、動画像の表示動作において残像が視認されにくくなり、良好な表示画質を実現することができる反面、動きのない静止画像の表示動作においてはちらつきが生じやすいという問題を有している。
【０００８】
一方、液晶表示装置や発光素子型の表示装置のようなアクティブマトリックス型の表示装置は、一般に、図１５に示すように、行、列方向に配設された複数の走査ラインＳＬｐ及びデータラインＤＬｐの各交点近傍に、複数の表示画素ＥＭｐが２次元配列された表示パネル１１０Ｐと、各走査ラインＳＬｐに接続された走査ドライバ１２０Ｐと、各データラインＤＬに接続されたデータドライバ１３０Ｐと、を備えた構成を有している。
【０００９】
このような構成を有する表示装置における表示駆動制御は、例えば、図１６に示すように、まず、走査ドライバ１２０Ｐから各行の走査ラインＳＬｐに選択レベルの走査信号Ｓselを順次印加することにより、行ごとの表示画素ＥＭｐを順次選択状態に設定し、各行の選択タイミングに同期して、データドライバ１３０Ｐから当該行の映像データ（表示データ）に応じた階調電圧Ｖpixを各列のデータラインＤＬｐに印加することにより、各表示画素ＥＭｐに階調電圧Ｖpixに基づく電圧成分が保持される（映像データが書き込まれる；映像データ書込動作）。
【００１０】
これにより、各表示画素ＥＭｐにおいて上記電圧成分に応じた階調制御が行われる（具体的には、液晶表示装置においては液晶分子の配向状態が制御され、発光素子型の表示装置においては、発光素子の発光輝度が制御される）ことにより、上記映像データに応じた表示動作（発光動作）が実行され、表示パネルに所望の画像情報が表示される。
【００１１】
次いで、走査ドライバ１２０Ｐから走査ラインＳＬｐに非選択レベルの走査信号Ｓselを順次印加することにより、行ごとの表示画素ＥＭｐが非選択状態に設定されるが、このとき、各表示画素に書き込まれた映像データ（電圧成分）が保持されることにより、上記映像データに応じた表示動作が継続される（映像表示動作）。この表示動作は、次の映像データが各行の表示画素ＥＭｐに書き込まれるまで、例えば、１フレーム期間継続して実行される（ホールド型の表示駆動制御）。
【００１２】
このようなホールド型の表示駆動方法においては、上述したインパルス型の表示駆動方法とは異なり、１フレーム期間のほとんどの期間において、映像データに応じた表示動作（発光動作）が継続されるので、静止画像の表示動作においてはちらつきが生じにくいという特性を有しているが、その反面、動画像の表示動作においては、前のフレーム期間に表示された画像情報が残像として視認されやすくなり、画像情報のボケやにじみを生じ、表示画質の劣化を招くという問題を有していた。
【００１３】
そこで、液晶表示装置や発光素子型の表示装置において、上述した動画像の表示動作におけるボケやにじみを抑制して表示画質を向上させる表示駆動方法として、例えば、図１７に示すように、１フレーム期間に、上述した各行の表示画素ＥＭｐに対する映像データ書込動作（映像データ書込期間）及び映像表示動作（映像表示期間）に加え、各表示画素ＥＭｐを最低階調で表示動作（発光動作）、又は、非表示動作（非発光動作）させるために、データドライバから各データラインにブランキングデータを供給して、各表示画素に当該ブランキングデータを書き込む動作（ブランキングデータ書込期間）、及び、当該ブランキングデータに基づく黒表示動作（黒表示期間）を実行する手法が知られている。
【００１４】
これにより、１フレーム期間に一定期間の黒表示期間が挿入されて、何も表示（発光）されない表示状態が設定されるので、映像表示期間が相対的に短縮されて、上述した陰極線管に適用されるインパルス型に類似した表示駆動方法（便宜的に「擬似インパルス型の表示駆動方法」と記す）を実現することができ、動画像の表示動作における表示品質を向上させることができる。このような表示装置の駆動制御方法については、例えば、特許文献１等に詳しく記載されている。
【００１５】
【特許文献１】特開２００４−２６４４８１号公報  （第１７頁〜第１８頁、図６）
【発明の開示】
【発明が解決しようとする課題】
【００１６】
しかしながら、従来技術に示した擬似インパルス型の表示駆動方法においては、図１７に示したように、１フレーム期間内に、データドライバから供給される映像データの書込期間及び映像表示期間と、同様にデータドライバから供給されるブランキングデータの書込期間及び黒表示期間とを設定する必要があるため、図１６に示したように、１フレーム期間内に、データドライバから供給される映像データの書込動作及び映像表示動作のみを実行し、黒表示動作を実行しない場合に比較して、映像データの書込動作に割り当てられる時間が短くなり、書込動作に係る駆動周波数（すなわち、表示装置の駆動周波数）を高くする必要がある（高速で書き込む必要がある）。
【００１７】
このように映像データ（表示データ）の書込期間が短くなり、高速で書込動作を実行しなければならなくなると、表示パネル（信号配線等）に寄生する抵抗成分や容量成分等によるＣＲ時定数に起因して信号遅延が生じ、各表示画素への映像データの書込状態が不十分となる書込不足が発生して、映像データに応じた階調表示が適切に実行されなくなるという問題を有していた。
【００１８】
また、図１６、図１７においては図示を省略したが、各表示画素に映像データを書き込む際には、先のフレーム期間において当該表示画素に書き込まれ、残留している映像データに基づく電圧成分を放電して初期化（リセット）するリセット動作や、当該行の走査ラインを選択レベルに設定する際の信号レベルの立ち上がり動作のための時間を短くする必要があるため、動作タイミングの設定に余裕がなくなり、タイミング制御が複雑になったり、誤動作が生じやすくなったりするという問題を有していた。
【００１９】
そこで、本発明は、上述した種々の問題点に鑑み、アクティブマトリックス型の駆動方式に対応した表示パネルを備えた表示装置において、動画像をボケやにじみのない良好な表示品質で表示することができるとともに、映像データ（表示データ）に対応した適切な階調で画像情報を表示することができる表示装置及びその表示駆動方法を提供することを目的とする。
【課題を解決するための手段】
【００２０】
請求項１記載の発明は、行方向に配設され複数の走査ライン及び列方向に配設された複数のデータラインの各交点近傍に、複数の表示画素が配列された表示パネルを有する表示装置において、所定のタイミングで前記表示パネルの各行ごとの前記表示画素に走査信号を順次印加して、選択状態に設定する走査駆動部と、所望の画像情報を表示するための表示データに応じた階調信号を生成し、前記選択状態に設定された行の前記表示画素に順次供給するデータ駆動部と、前記表示パネルに配列された前記複数の表示画素を、複数行ごとにグループ分けした各グループごとの各行の前記表示画素に、前記データ駆動部から供給された前記階調信号に基づいて前記表示データに応じた階調状態で表示動作させるための電源電圧を印加する電源駆動部と、タイミング制御信号を供給することにより、前記走査駆動部及び前記データ駆動部、前記電源駆動部の各々を所定のタイミングで動作させ、少なくとも、前記表示パネルの前記各グループごとの各行の前記表示画素を、前記表示データに応じた階調状態で一斉に表示動作させる駆動制御部と、を備えていることを特徴とする。
【００２１】
請求項２記載の発明は、請求項１記載の表示装置において、前記駆動制御部は、少なくとも、前記各グループごとの各行の前記表示画素に、前記データ駆動部から前記階調信号を順次供給する期間中、前記電源駆動部により当該グループの各行の前記表示画素を非表示動作させる前記電源電圧を印加する前記タイミング制御信号を生成する手段を有していることを特徴とする。
【００２２】
請求項３記載の発明は、請求項１又は２記載の表示装置において、前記電源駆動部は、前記各グループごとの各行の前記表示画素に、各行ごとに個別に配設された電源ラインを介して、前記電源電圧を印加することを特徴とする。
請求項４記載の発明は、請求項１又は２記載の表示装置において、前記電源駆動部は、前記各グループごとの各行の前記表示画素に、当該各行に分岐して配設された単一の電源ラインを介して、前記電源電圧を印加することを特徴とする。
【００２３】
請求項５記載の発明は、請求項１乃至４のいずれかに記載の表示装置において、前記各グループの複数行の前記表示画素は、連続する複数の行の前記表示画素からなることを特徴とする。
請求項６記載の発明は、請求項１乃至４のいずれかに記載の表示装置において、前記各グループの複数行の前記表示画素は、連続しない複数の行の前記表示画素からなることを特徴とする。
【００２４】
請求項７記載の発明は、請求項１乃至６のいずれかに記載の表示装置において、前記各表示画素は、発光素子と、前記発光素子の発光動作を制御する発光駆動回路と、を備え、前記発光駆動回路は、少なくとも、前記階調信号に基づく電荷を蓄積する電荷蓄積手段と、前記電荷蓄積手段に蓄積された電荷量に応じて所定の電流値を有する発光駆動電流を生成し、前記発光素子に供給する発光制御手段と、前記電荷蓄積手段への前記階調信号に基づく電荷の供給状態を制御する書込制御手段と、を備えていることを特徴とする。
【００２５】
請求項８記載の発明は、請求項７記載の表示装置において、前記各表示画素に設けられる前記発光制御手段は、一端が前記電源ラインに接続され、他端が前記発光素子に接続されて、前記発光駆動電流を流す導通路と、前記電荷蓄積手段に接続され、前記導通路の導通状態を制御して前記発光素子への前記発光駆動電流の供給状態を制御する制御端子を備えていることを特徴とする。
【００２６】
請求項９記載の発明は、請求項８記載の表示装置において、前記各表示画素に設けられる前記書込制御手段は、一端が前記階調信号が供給される前記データラインに接続され、他端が前記電荷蓄積手段を介して前記発光制御手段の前記制御端子に接続された導通路と、前記走査信号が印加される前記走査ラインに接続され、前記電荷蓄積手段への前記階調信号に基づく電荷の供給状態を制御する制御端子を備えていることを特徴とする。
【００２７】
請求項１０記載の発明は、請求項７乃至９のいずれかに記載の表示装置において、前記発光駆動回路は、少なくとも、導通路の一端に前記電源電圧が印加され、該導通路の他端に前記発光素子との接続接点が接続された第１のスイッチ手段と、制御端子が前記走査ラインに接続され、導通路の一端に前記電源電圧が印加され、該導通路の他端に前記第１のスイッチ手段の制御端子が接続された第２のスイッチ手段と、制御端子が前記走査ラインに接続され、導通路の一端に前記データラインが接続され、該導通路の他端に前記接続接点が接続された第３のスイッチ手段と、前記第１のスイッチ手段の制御端子と前記接続接点との間に接続された容量素子と、を備え、前記発光制御手段は、前記第１のスイッチ手段を含んで構成され、前記電荷蓄積手段は、前記容量素子を含んで構成されていることを特徴とする。
【００２８】
請求項１１記載の発明は、請求項１乃至１０のいずれかに記載の表示装置において、前記データ駆動部は、前記階調信号として、前記発光素子を所定の輝度階調で発光動作させるための所定の電流値を有する階調電流を生成する手段を備えていることを特徴とする。
請求項１２記載の発明は、請求項１乃至１１のいずれかに記載の表示装置において、前記発光素子は、有機エレクトロルミネッセンス素子であることを特徴とする。
【００２９】
請求項１３記載の発明は、行方向に配設され複数の走査ライン及び列方向に配設された複数のデータラインの各交点近傍に、複数の表示画素が配列された表示パネルを有し、所定のタイミングで前記表示パネルの各行ごとの前記表示画素に走査信号を順次印加して、選択状態に設定するタイミングに同期して、所望の画像情報を表示するための表示データに応じた階調信号を供給することにより、前記表示画素を前記表示データに応じた階調状態で表示動作させて、前記表示パネルに前記所望の画像情報を表示する表示装置の表示駆動方法において、前記表示パネルに配列された前記複数の表示画素を、複数行ごとにグループ分けした各グループごとの各行の前記表示画素を順次選択状態に設定して前記階調信号を供給するステップと、前記階調信号が供給された前記グループごとの各行の前記表示画素を、前記表示データに応じた階調状態で一斉に表示動作させるステップと、を含むことを特徴とする。
【００３０】
請求項１４記載の発明は、請求項１３記載の表示装置の表示駆動方法において、前記各グループごとの各行の前記表示画素に前記階調信号を順次供給する期間中、当該グループの各行の前記表示画素を非表示動作させることを特徴とする。
請求項１５記載の発明は、請求項１３又は１４記載の表示装置の表示駆動方法において、前記各グループごとの各行の前記表示画素に、所定の電源電圧を同時に印加することにより、前記グループごとの各行の前記表示画素を、前記表示データに応じた前記階調状態で一斉に表示動作、又は、非表示動作させることを特徴とする。
【００３１】
請求項１６記載の発明は、請求項１３乃至１５のいずれかに記載の表示装置の表示駆動方法において、前記各グループの複数行の前記表示画素は、連続する複数の行の前記表示画素からなることを特徴とする。
請求項１７記載の発明は、請求項１３乃至１５のいずれかに記載の表示装置の表示駆動方法において、前記各グループの複数行の前記表示画素は、連続しない複数の行の前記表示画素からなることを特徴とする。
【００３２】
請求項１８記載の発明は、請求項１３乃至１７のいずれかに記載の表示装置の表示駆動方法において、前記各表示画素は、発光素子を備え、前記表示画素を前記表示データに応じた階調状態で表示動作させるステップは、前記各表示画素の前記発光素子を前記表示データに応じた輝度階調で発光動作させることを特徴とする。
【発明の効果】
【００３３】
すなわち、本発明に係る表示装置及びその表示駆動方法においては、表示パネルに２次元配列された複数の表示画素を、各行ごとに表示動作させるための電源電圧を印加する電源駆動部（電源ドライバ）を備え、表示パネルに配列された複数の表示画素を、複数行ごとにグループ分けした各グループごとの各行の表示画素に、表示データに応じた階調信号（階調電流）を順次供給して書き込む書込動作期間において、当該グループに含まれる各行の表示画素を非表示動作（非発光動作）させるための電源電圧を同時に印加し、一方、上記階調信号が書き込まれた各行の表示画素を表示動作させる表示動作期間（発光動作期間）において、上記書込動作が全て終了したグループに含まれる各行の表示画素を表示動作（発光動作）させるための電源電圧を同時に印加するように制御される。
【００３４】
これにより、同一グループ内の各行の表示画素に書込動作を実行する期間中、当該グループに含まれる表示画素（発光素子）の表示動作が行われず、非表示状態（非発光状態）に設定されるので、所定の１処理サイクル期間（１フレーム期間）のうち、一定期間のみ表示データに応じた階調状態（輝度階調）で表示動作（発光動作）する擬似インパルス型の表示駆動制御を実現することができる。
【００３５】
ここで、表示パネルに配列された複数の表示画素を、例えば、３組にグループ分けして、各グループごとに異なるタイミングで一斉に非表示動作及び表示動作を実行するように制御することにより、１処理サイクル期間（１フレーム期間）における上記非表示期間の比率（黒挿入率）を概ね３０％以上に設定することができるので、動画像をボケやにじみが抑制された良好な表示画質で表示することができる。
【００３６】
また、本発明に係る表示装置及びその表示駆動方法によれば、上述した従来技術に示した表示駆動方法（図１７参照）のように、動画像を鮮明な表示画質で表示するために、１フレーム期間中に黒表示動作（ブランキングデータの書込動作及び表示動作）を実行することにより、各行の表示画素に対する表示データの書込動作期間が短縮されることがなく、各行の書込時間を充分に確保することができるので、表示データの書込不足に起因する表示品質の低下を抑制して、表示データに応じた適切な階調表示を実現することができる。また、これにより、各種信号のタイミング制御に余裕を持たせることができるので、表示装置の誤動作の発生を抑制することができる。
【発明を実施するための最良の形態】
【００３７】
以下、本発明に係る表示装置及びその表示駆動方法について、実施の形態を示して詳しく説明する。
＜表示装置＞
まず、本発明に係る表示装置の概略構成について、図面を参照して説明する。
図１は、本発明に係る表示装置の全体構成の一例を示す概略ブロック図であり、図２は、本実施形態に係る表示装置に適用される表示パネル及びその周辺回路（走査ドライバ、データドライバ、電源ドライバ）の一例を示す要部構成図である。
【００３８】
なお、以下に示す実施形態においては、表示パネルとして、発光素子を備えた複数の表示画素を２次元配列した構成を有し、各表示画素が表示データ（映像データ）に応じた輝度階調で発光動作することにより画像情報を表示する発光素子型の表示装置について説明するが、本発明はこれに限定されるものではなく、液晶表示装置のように、各表示画素が表示データに応じて階調制御（階調状態に設定）され、透過光や反射光により所望の画像情報を階調表示（表示動作）する表示装置であってもよい。
【００３９】
図１、図２に示すように、本実施形態に係る表示装置１００は、概略、行、列方向に相互に直交するように配設された複数の走査ラインＳＬと複数のデータラインＤＬとの各交点近傍に、後述する発光駆動回路ＤＣ及び発光素子（有機ＥＬ素子ＯＥＬ）を備えた複数の表示画素ＥＭが配列された表示パネル１１０と、該表示パネル１１０の各走査ラインＳＬに接続され、各走査ラインＳＬごとに所定のタイミングで選択レベル（ハイレベル）の走査信号Ｖselを順次印加することにより、行ごとの表示画素ＥＭを選択状態に設定する走査ドライバ（走査駆動部）１２０と、各行の走査ラインＳＬに並行に配設された複数の電源ラインＶＬに接続され、各電源ラインＶＬごとに所定のタイミングで電源電圧Ｖscを印加する電源ドライバ（電源駆動部）１３０と、表示パネル１１０の各データラインＤＬに接続され、表示データに応じた階調信号（階調電流Ｉdata）を、各データラインＤＬを介して表示画素ＥＭへ供給するデータドライバ（データ駆動部）１４０と、後述する表示信号生成回路１６０から供給されるタイミング信号に基づいて、少なくとも上記走査ドライバ１２０及び電源ドライバ１３０、データドライバ１４０の動作状態を制御して、表示パネル１１０における所定の表示駆動制御を実行するための走査制御信号及び電源制御信号、データ制御信号を生成して出力するシステムコントローラ（駆動制御部）１５０と、例えば、表示装置１００の外部から供給される映像信号に基づいて、表示データ（輝度階調データ）を生成してデータドライバ１４０に供給するとともに、該表示データに基づいて表示パネル１１０に所定の画像情報を表示するためのタイミング信号（システムクロック等）を抽出、又は、生成してシステムコントローラ１５０に供給する表示信号生成回路１６０と、を備えて構成されている。
【００４０】
以下、上記各構成について具体的に説明する。
（表示パネル・表示画素）
図３は、本実施形態に係る表示装置に適用される表示画素（発光駆動回路）の一実施形態を示す回路構成図である。なお、本実施形態においては、表示画素として、表示データに応じた電流値を有する階調電流を供給することにより、各表示画素に設けられた発光素子に表示データに応じた電流値を有する発光駆動電流を流して、所望の輝度階調（階調状態）で発光動作（表示動作）させる電流階調指定方式の駆動制御方法に対応した回路構成（発光駆動回路）を備えた場合について説明するが、本発明はこれに限定されるものではなく、例えば、表示データに応じた電圧値を有する階調電圧を印加することにより、各表示画素の発光素子に表示データに応じた電流値を有する発光駆動電流を流して、所望の輝度階調で発光動作させる電圧階調指定方式の駆動制御方法に対応した回路構成を備えたものであってもよい。
【００４１】
本実施形態に係る表示装置１００に適用される表示パネル１１０は、行、列方向に２次元配列された複数の表示画素ＥＭが、予め任意の複数行ごとにグループ分けされ、後述する表示駆動方法に示すように、各行の表示画素ＥＭに対して、表示データの書込動作が順次実行されるとともに、各グループに含まれる全ての行の表示画素ＥＭについて上記書込動作が実行されている期間中、当該グループに含まれる全ての行の表示画素ＥＭが非発光動作（非表示動作）し、当該グループに含まれる全ての行の表示画素ＥＭについて上記書込動作が終了した後に、当該グループに含まれる全ての行の表示画素ＥＭを一斉に発光動作（表示動作）するように制御される。
【００４２】
また、本実施形態に係る表示パネル１１０に配列される表示画素ＥＭは、例えば、図３に示すように、概略、走査ドライバ１２０から印加される走査信号Ｖselに基づいて、表示画素ＥＭを選択状態に設定し、当該選択状態においてデータドライバ１４０から供給される階調信号（階調電流Ｉdata）を取り込み、該階調信号に応じた発光駆動電流を生成する発光駆動回路ＤＣと、該発光駆動回路ＤＣから供給される発光駆動電流に基づいて、所定の輝度階調で発光動作する周知の有機ＥＬ素子（発光素子）ＯＥＬと、を備えた構成を適用することができる。
【００４３】
本実施形態に係る発光駆動回路ＤＣは、具体的には、図３に示すように、ゲート端子（制御端子）が走査ラインＳＬに、ドレイン端子及びソース端子（導通路の一端、他端）が所定の電源電圧Ｖscが印加される電源ラインＶＬ及び接点Ｎ１１に各々接続された薄膜トランジスタ（書込制御手段、第２のスイッチ手段）Ｔｒ１１と、ゲート端子（制御端子）が走査ラインＳＬに、ソース端子及びドレイン端子（導通路の一端、他端）がデータラインＤＬ及び接点Ｎ１２に各々接続された薄膜トランジスタ（書込制御手段、第３のスイッチ手段）Ｔｒ１２と、ゲート端子（制御端子）が接点Ｎ１１に、ドレイン端子及びソース端子（導通路の一端、他端）が電源ラインＶＬ及び接点（接続接点）Ｎ１２に各々接続された薄膜トランジスタ（発光制御手段、第１のスイッチ手段）Ｔｒ１３と、接点Ｎ１１及び接点Ｎ１２間（薄膜トランジスタＴｒ１３のゲート−ソース端子間）に接続されたコンデンサ（電荷蓄積手段、容量素子）Ｃｓと、を備えた構成を有している。
【００４４】
また、有機ＥＬ素子ＯＥＬは、アノード端子が上記発光駆動回路ＤＣの接点Ｎ１２に接続され、カソード端子には共通電圧Ｖcomが印加されている。ここで、共通電圧Ｖcomは、表示データに応じた階調信号（階調電流Ｉdata）が当該表示画素ＥＭ（発光駆動回路ＤＣ）に供給される書込動作期間、及び、後述する表示装置の表示駆動動作において同一のグループに含まれる行の表示画素ＥＭ（発光駆動回路ＤＣ）の書込動作期間においては、ローレベルに設定される電源電圧Ｖsc（＝Ｖｓ）と等電位であるか、あるいは、当該電源電圧Ｖscよりも高い電位であって、さらに、有機ＥＬ素子（発光素子）ＯＥＬに発光駆動電流が供給されて所定の輝度階調で発光動作する発光動作期間においては、ハイレベルに設定される電源電圧Ｖsc（＝Ｖｅ）よりも低電位となる、任意の電位（例えば、接地電位ＧＮＤ）に設定されている（Ｖｓ≦Ｖcom＜Ｖｅ）。
【００４５】
ここで、コンデンサＣｓは、薄膜トランジスタＴｒ１３のゲート−ソース間に形成される寄生容量であってもよいし、該寄生容量に加えて接点Ｎ１１及び接点Ｎ１２間にさらに容量素子を並列に接続したものであってもよい。また、薄膜トランジスタＴｒ１１〜Ｔｒ１３については、特に限定するものではないが、例えば、薄膜トランジスタＴｒ１１〜Ｔｒ１３を全て単一のチャネル型の薄膜トランジスタ（電界効果型トランジスタ）により構成することにより、ｎチャネル型アモルファスシリコンＴＦＴを適用することができる。
【００４６】
この場合、すでに確立されたアモルファスシリコン製造技術を適用して、素子特性（電子移動度等）が均一で安定したアモルファスシリコン薄膜トランジスタからなる発光駆動回路を、比較的簡易な製造プロセスで製造することができる。なお、以下の説明においては、発光駆動回路ＤＣの一構成例として、薄膜トランジスタＴｒ１１〜Ｔｒ１３を全てｎチャネル型の薄膜トランジスタにより構成した場合について説明する。
【００４７】
また、上記においては、発光駆動回路ＤＣにより発光駆動される発光素子を有機ＥＬ素子ＯＥＬとしたが、本発明における発光素子は有機ＥＬ素子ＯＥＬに限定されるものではなく、電流制御型の発光素子であれば、例えば、発光ダイオード等の他の発光素子であってもよい。さらに、本実施形態においては、発光駆動回路ＤＣにより電流制御型の発光素子を発光駆動する場合について説明するが、表示データに応じた電圧成分を生成して、電圧制御型の発光素子を発光駆動する構成や、液晶分子の配向状態を変化させる回路構成を有するものであってもよい。
【００４８】
（走査ドライバ）
走査ドライバ１２０は、システムコントローラ１５０から供給される走査制御信号に基づいて、各走査ラインＳＬに選択レベル（上述した表示画素ＥＭにおいては、ハイレベル）の走査信号Ｖselを印加することにより、各行ごとの表示画素ＥＭを選択状態に設定する。具体的には、各行の走査ラインＳＬに走査信号Ｖselを印加する動作を、所定のタイミングで順次ずらして実行することにより、各行ごとの表示画素ＥＭを順次選択状態に設定する。
【００４９】
特に、本実施形態に係る表示装置においては、表示パネル１１０について予めグループ分けされた複数行ごとの表示画素ＥＭに対して、各グループの各行の走査ラインＳＬに順次走査信号Ｖselを印加することにより、当該グループについて各行の表示画素ＥＭが順次選択状態に設定され、さらに、各グループについて同様の動作が実行されることにより、表示パネル１１０に配列された全ての表示画素ＥＭが行ごとに順次選択状態に設定される。
【００５０】
ここで、走査ドライバ１２０は、例えば、図２に示すように、後述するシステムコントローラ１５０から走査制御信号として供給される走査クロック信号ＳＣＫ及び走査スタート信号ＳＳＴに基づいて、各行の走査ラインＳＬに対応するシフト信号を順次出力する周知のシフトレジスタ１２１と、該シフトレジスタ１２１から出力されるシフト信号を所定の信号レベル（選択レベル）に変換して、システムコントローラ１５０から走査制御信号として供給される出力制御信号ＳＯＥに基づいて、各走査ラインＳＬに走査信号Ｖselとして出力する出力回路部（出力バッファ）１２２と、を備えた構成を有している。
【００５１】
（電源ドライバ）
電源ドライバ１３０は、システムコントローラ１５０から供給される電源制御信号に基づいて、各行の表示画素ＥＭに対して、発光動作期間中のみハイレベルの電源電圧Ｖsc（＝Ｖｅ）を当該行の電源ラインＶＬに印加し、発光動作期間以外の動作期間（書込動作期間、及び、後述する表示装置の表示駆動動作において同一のグループに含まれる行の表示画素ＥＭの書込動作期間）中、ローレベルの電源電圧Ｖsc（＝Ｖｓ）を印加する。
【００５２】
すなわち、本実施形態に係る表示装置においては、表示パネル１１０について予めグループ分けされた任意の複数行ごとの表示画素ＥＭに対して、各グループの全ての行の電源ラインＶＬに、同一の電圧レベルを有する電源電圧Ｖscが同時に印加される。これにより、当該グループのいずれかの行の表示画素ＥＭについて書込動作が実行されている期間中は、当該グループの全ての行の表示画素ＥＭにローレベルの電源電圧Ｖsc（＝Ｖｓ）が印加されて非発光状態（非表示状態）に設定され、当該グループの全ての行の表示画素ＥＭに対して書込動作が終了した後においては、当該グループの全ての行の表示画素ＥＭにハイレベルの電源電圧Ｖsc（＝Ｖｅ）が印加されて発光状態（階調表示状態）に設定される。
【００５３】
ここで、電源ドライバ１３０は、例えば、図２に示すように、上述した走査ドライバ１２０と同様に、システムコントローラ１５０から電源制御信号として供給されるクロック信号ＶＣＫ及びスタート信号ＶＳＴに基づいて、各行の電源ラインＶＬに対応するシフト信号を順次出力する周知のシフトレジスタ１３１と、シフト信号を所定の電圧レベル（電圧値Ｖｅ、Ｖｓ）に変換して、電源制御信号として供給される出力制御信号ＶＯＥに基づいて、各電源ラインＶＬに電源電圧Ｖscとして出力する出力回路部１３２と、を備えた構成を有している。
【００５４】
この場合、電源ドライバ１３０は、同一のグループに含まれる各行の電源ラインＶＬに対して、同一の電圧レベルを有する電源電圧Ｖscを同時に印加することができるように、例えば、図２に示すように、シフトレジスタ１３１から各行の電源ラインＶＬに対応して順次出力されたシフト信号に基づいて、出力回路部１３２において、同一のグループに含まれる各行の個別の電源ラインＶＬに対して同一の電圧レベルを有する電源電圧Ｖscを同時に印加するものであってもよいし、図４に示すように、電源ドライバ１３０（シフトレジスタ１３１、出力回路部１３２）から各グループごとに順次出力された電源電圧Ｖscを、同一のグループに含まれる各行に対応するように分岐して配設された単一の電源ラインＶＬを介して、当該グループの全ての表示画素ＥＭに同時に印加するものであってもよい。
なお、図４は、本実施形態に係る表示装置に適用される表示パネル及びその周辺回路（走査ドライバ、データドライバ、電源ドライバ）の他の例を示す要部構成図である。
【００５５】
（データドライバ）
図５は、本実施形態に係る表示装置に適用可能なデータドライバの一例を示す概略ブロック図である。なお、図５に示すデータドライバの内部構成については、表示データに応じた電流値を有する階調電流を生成することができる一例を示したものに過ぎず、本発明はこれに限定されるものではない。
【００５６】
データドライバ１４０は、概略、図１、図２、図４に示すように、システムコントローラ１５０から供給されるデータ制御信号に基づいて、後述する表示信号生成回路１６０から供給される、デジタル信号からなる表示データ（輝度階調データ）を１行分ごとに所定のタイミングで順次取り込んで保持し、該表示データの階調値に対応する電流値を有する階調電流Ｉdataを生成して、書込動作期間に選択状態に設定された各行の表示画素ＥＭに対して、各データラインＤＬを介して一斉に供給する。
【００５７】
データドライバ１４０は、具体的には、図５に示すように、システムコントローラ１５０から供給されるデータ制御信号（シフトクロック信号ＣＬＫ、サンプリングスタート信号ＳＴＲ）に基づいて、順次シフト信号を出力するシフトレジスタ回路４１と、該シフト信号の入力タイミングに基づいて、表示信号生成回路１６０から供給される１行分の表示データＤ０〜Ｄｍを順次取り込むデータレジスタ回路４２と、データ制御信号（データラッチ信号ＳＴＢ）に基づいて、データレジスタ回路４２により取り込まれた１行分の表示データＤ０〜Ｄｍを保持するデータラッチ回路４３と、図示を省略した電源供給手段から供給される階調基準電圧Ｖ０〜ＶＰに基づいて、上記保持された表示データＤ０〜Ｄｍを、所定のアナログ信号電圧（階調電圧Ｖpix）に変換するＤ／Ａコンバータ４４と、アナログ信号電圧に変換された表示データに対応する階調電流Ｉdataを生成し、システムコントローラ１５０から供給されるデータ制御信号（出力イネ−ブル信号ＯＥ）に基づくタイミングで、当該表示データに対応する列のデータラインＤＬに一斉に出力する電圧電流変換・階調電流供給回路４５と、を備えた構成を有している。
【００５８】
（システムコントローラ）
システムコントローラ１５０は、少なくとも、走査ドライバ１２０及び電源ドライバ１３０、データドライバ１４０の各々に対して、動作状態を制御するタイミング制御信号として、走査制御信号及び電源制御信号、データ制御信号を生成して出力することにより、各ドライバを所定のタイミングで動作させて、所定の電圧レベルを有する走査信号Ｖsel及び電源電圧Ｖsc、並びに、表示データに応じた階調信号（階調電流Ｉdata）を生成して出力させ、各表示画素ＥＭ（発光駆動回路ＤＣ）における駆動制御動作（書込動作、非発光動作、発光動作）を連続的に実行させて、映像信号に基づく所定の画像情報を表示パネル１１０に表示させる制御（後述する表示装置の表示駆動制御）を行う。
【００５９】
（表示信号生成回路）
表示信号生成回路１６０は、例えば、表示装置１００の外部から供給される映像信号から輝度階調信号成分を抽出し、表示パネル１１０の１行分ごとに、該輝度階調信号成分をデジタル信号からなる表示データ（輝度階調データ）としてデータドライバ１４０のデータレジスタ回路４２に供給する。ここで、上記映像信号が、テレビ放送信号（コンポジット映像信号）のように、画像情報の表示タイミングを規定するタイミング信号成分を含む場合には、表示信号生成回路１６０は、上記輝度階調信号成分を抽出する機能のほか、タイミング信号成分を抽出してシステムコントローラ１５０に供給する機能を有するものであってもよい。この場合においては、上記システムコントローラ１５０は、表示信号生成回路１６０から供給されるタイミング信号に基づいて、走査ドライバ１２０や電源ドライバ１３０、データドライバ１４０に対して個別に供給する各制御信号を生成する。
【００６０】
＜表示画素（発光駆動回路）の駆動制御方法＞
次に、本実施形態において、上述した表示パネルを構成する表示画素（図３参照）の駆動制御方法について説明する。
図６は、本実施形態に係る表示装置に適用される表示画素における駆動制御方法（書込動作、非発光動作、発光動作）を示すタイミングチャートである。また、図７は、本実施形態に係る表示画素（発光駆動回路）における書込動作及び非発光動作を示す概念図であり、図８は、本実施形態に係る表示画素（発光駆動回路）における発光動作を示す概念図である。
【００６１】
本実施形態に係る表示画素ＥＭ（発光駆動回路ＤＣ）における駆動制御動作は、図６に示すように、所定の１処理サイクル期間Ｔcyc内に、走査ラインＳＬに接続された表示画素ＥＭを選択状態に設定して、表示データに応じた電流値を有する階調電流Ｉdataを供給することにより、発光駆動回路ＤＣに設けられた発光駆動用の薄膜トランジスタＴｒ１３のゲート−ソース間（コンデンサＣｓ）に、当該表示データに応じた電圧成分を保持させる書込動作期間Ｔwrtと、当該書込動作期間Ｔwrtに薄膜トランジスタＴｒ１３のゲート−ソース間に保持された電圧成分に基づいて、表示データに応じた電流値を有する発光駆動電流を有機ＥＬ素子ＯＥＬに流して、所定の輝度階調で発光動作させる発光動作期間（表示動作期間）Ｔemと、を含むように設定されている（Ｔcyc≧Ｔwrt＋Ｔem）。
【００６２】
また、上記１処理サイクル期間Ｔcyc内の発光動作期間Ｔem以外の期間（上記書込動作期間Ｔwrtを含む期間）には、有機ＥＬ素子ＯＥＬへの発光駆動電流の供給を遮断して、発光動作させない非発光動作期間（非表示動作期間）Ｔnemが設定されている（Ｔcyc≧Ｔem＋Ｔnem、Ｔnem≧Ｔwrt）。ここで、非発光動作期間Ｔnemと書込動作期間Ｔwrtとの関係は、図６に示すように、書込動作期間Ｔwrtが非発光動作期間Ｔnemの初めの方の時間位置に設定されている場合に限定されるものではなく、後述する表示装置の表示駆動方法において説明するように、書込動作期間Ｔwrtが非発光動作期間Ｔnemの任意の時間位置に設定されているものであっても良い。
【００６３】
また、本実施形態に係る１処理サイクル期間Ｔcycは、例えば、表示画素ＥＭが１フレーム（１画面）の画像のうちの１画素分の画像情報を表示するのに要する期間に設定される。すなわち、後述する表示装置の表示駆動方法において説明するように、複数の表示画素ＥＭを行方向及び列方向に２次元配列した表示パネル１１０に、１フレームの画像を表示する場合、上記１処理サイクル期間Ｔcycは、１行分の表示画素ＥＭが１フレームの画像のうちの１行分の画像を表示するのに要する期間に設定される。
【００６４】
（書込動作期間）
まず、書込動作期間Ｔwrtにおいては、図６、図７（ａ）に示すように、走査ドライバ１２０から走査ラインＳＬに対して、選択レベル（ハイレベル）の走査信号Ｖselを印加して当該表示画素ＥＭを選択状態に設定するとともに、この選択タイミングに同期して、データドライバ１４０からデータラインＤＬに対して、表示データに応じた（負極性の）電流値を有する階調電流Ｉdataを供給する。また、この書込動作期間Ｔwrtにおいては、上記走査信号Ｖselの印加に同期して、電源ドライバ１３０から電源ラインＶＬに対して、ローレベルの電源電圧Ｖsc（＝Ｖｓ）が印加される。
【００６５】
これにより、発光駆動回路ＤＣに設けられた薄膜トランジスタＴｒ１１及びＴｒ１２がオン動作して、ローレベルの電源電圧Ｖscが薄膜トランジスタＴｒ１１を介して薄膜トランジスタＴｒ１３のゲート端子（接点Ｎ１１；コンデンサＣｓの一端側）に印加されるとともに、薄膜トランジスタＴｒ１３のソース端子（接点Ｎ１２；コンデンサＣｓの他端側）が薄膜トランジスタＴｒ１２を介して、データラインＤＬに電気的に接続される。
【００６６】
ここで、データラインＤＬには負極性の電流値を有する階調電流Ｉdataが供給されることにより、データラインＤＬ側からデータドライバ１４０方向に階調電流Ｉdataを引き込む動作が行われることにより、ローレベルの電源電圧Ｖscよりも低電位の電圧レベルが薄膜トランジスタＴｒ１３のソース端子（接点Ｎ１２；コンデンサＣｓの他端側）に印加される。
【００６７】
このように、接点Ｎ１１及びＮ１２間（薄膜トランジスタＴｒ１３のゲート−ソース間）に電位差が生じることにより、薄膜トランジスタＴｒ１３がオン動作して、電源ラインＶＬから薄膜トランジスタＴｒ１３、接点Ｎ１２、薄膜トランジスタＴｒ１２、データラインＤＬを介して、データドライバ１４０方向に、階調電流Ｉdataに対応した書込電流Ｉａが流れる。
【００６８】
このとき、コンデンサＣｓには、接点Ｎ１１及びＮ１２間（薄膜トランジスタのＴｒ１３のゲート−ソース間）に生じた電位差に対応する電荷が蓄積され、電圧成分として保持される（図６中、コンデンサＣｓの両端電位Ｖｃ参照）。また、電源ラインＶＬには、ローレベル（接地電位ＧＮＤ以下）の電源電圧Ｖsc（＝Ｖｓ）が印加され、さらに、書込電流ＩａがデータラインＤＬ方向に流れるように制御されていることから、有機ＥＬ素子ＯＥＬのアノード端子（接点Ｎ１２）に印加される電位はカソード端子の電位Ｖcom（接地電位ＧＮＤ）よりも低くなるので、有機ＥＬ素子ＯＥＬに逆バイアス電圧が印加されることになり、有機ＥＬ素子ＯＥＬには発光駆動電流は流れず、発光動作は行われない（非発光動作）。
【００６９】
（非発光動作期間）
次いで、上記書込動作期間Ｔwrt以外の非発光動作期間Ｔnem（具体的には、書込動作期間Ｔwrtの前後双方、あるいは、前後のいずれかに設定される期間）においては、図６、図７（ｂ）に示すように、走査ドライバ１２０から走査ラインＳＬに対して、非選択レベルの走査信号Ｖselを印加（走査信号Ｖselを遮断）して当該表示画素ＥＭを非選択状態に設定する。また、この非発光動作期間Ｔnemにおいては、電源ドライバ１３０から電源ラインＶＬに対して、ローレベルの電源電圧Ｖsc（＝Ｖｓ）が印加される。ここで、非発光動作期間Ｔnemの直前に上述したような書込動作が実行されていた場合には、この非選択タイミングに同期して、データドライバ１３０からの階調電流Ｉdataの供給が遮断されて、当該階調電流Ｉdataの引き込み動作が停止される。
【００７０】
これにより、発光駆動回路ＤＣに設けられた薄膜トランジスタＴｒ１１及びＴｒ１２がオフ状態に設定されるので、薄膜トランジスタＴｒ１３のゲート端子（接点Ｎ１１；コンデンサＣｓの一端側）と電源ラインＶＬとの電気的な接続が遮断されるとともに、薄膜トランジスタＴｒ１３のソース端子（接点Ｎ１２；コンデンサＣｓの他端側）とデータラインＤＬとの電気的な接続も遮断された状態に設定される。ここで、直前に上述した書込動作が実行されていた場合には、コンデンサＣｓには、当該書込動作期間Ｔwrtにおいて蓄積された電荷が保持される。
【００７１】
そのため、接点Ｎ１１及びＮ１２間（薄膜トランジスタのＴｒ１３のゲート−ソース間；コンデンサＣｓの両端）に保持される電位差に基づいて、薄膜トランジスタＴｒ１３のオン、オフ状態が設定されることになるが、この薄膜トランジスタＴｒ１３の動作状態に関わらず、電源ラインＶＬにはローレベル（接地電位ＧＮＤ以下）の電源電圧Ｖsc（＝Ｖｓ）が印加され、また、接点Ｎ１２がデータラインＤＬから遮断された状態に設定されていることから、有機ＥＬ素子ＯＥＬのアノード端子（接点Ｎ１２）に印加される電位はカソード端子の電位Ｖcom（接地電位ＧＮＤ）に対して同等以下に設定されるので、有機ＥＬ素子ＯＥＬに逆バイアス電圧が印加されることになり、有機ＥＬ素子ＯＥＬには発光駆動電流は流れず、発光動作は行われない（非発光動作）。
【００７２】
（発光動作期間）
次いで、書込動作期間Ｔwrt、又は、該書込動作期間Ｔwrtを含む非発光動作期間Ｔnem終了後の発光動作期間Ｔemにおいては、図６、図８に示すように、上述した非発光動作期間Ｔnemと同様に、走査ドライバ１２０から走査ラインＳＬに対して、ローレベルの走査信号Ｖselを印加して当該表示画素ＥＭを非選択状態に設定するとともに、この非選択タイミングに同期して、データドライバ１３０からの階調電流Ｉdataの供給が遮断されて、当該階調電流Ｉdataの引き込み動作が停止される。また、この発光動作期間Ｔemにおいては、電源ドライバ１３０から電源ラインＶＬに対して、ハイレベルの電源電圧Ｖsc（＝Ｖｅ）が印加される。
【００７３】
これにより、発光動作期間Ｔemに先立って上述した書込動作が実行されていた場合には、発光駆動回路ＤＣに設けられた薄膜トランジスタＴｒ１１及びＴｒ１２がオフ動作（又は、オフ状態を継続）して、薄膜トランジスタＴｒ１３のゲート端子（接点Ｎ１１；コンデンサＣｓの一端側）への電源電圧Ｖscの印加が遮断されるとともに、薄膜トランジスタＴｒ１３のソース端子（接点Ｎ１２；コンデンサＣｓの他端側）への階調電流Ｉdataの引き込み動作に起因する電圧レベルの印加が遮断されるので、コンデンサＣｓには、上述した書込動作期間Ｔwrtにおいて蓄積された電荷が保持される。
【００７４】
このように、接点Ｎ１１及びＮ１２間（薄膜トランジスタのＴｒ１３のゲート−ソース間；コンデンサＣｓの両端）の電位差が保持されることになり、薄膜トランジスタＴｒ１３はオン状態を維持する。また、電源ラインＶＬには、共通電圧Ｖcom（接地電位ＧＮＤ）よりも高電位の電源電圧Ｖscが印加されるので、有機ＥＬ素子ＯＥＬのアノード端子（接点Ｎ１２）に印加される電位はカソード端子の電位（接地電位）よりも高くなる。
【００７５】
したがって、電源ラインＶＬから薄膜トランジスタＴｒ１３、接点Ｎ１２を介して、有機ＥＬ素子ＯＥＬに順バイアス方向に所定の発光駆動電流Ｉｂが流れ、有機ＥＬ素子ＯＥＬが発光する。ここで、コンデンサＣｓにより保持される電圧成分（コンデンサＣｓの両端電位Ｖｃ）は、薄膜トランジスタＴｒ１３において階調電流Ｉdataに対応した書込電流Ｉａを流す場合の電位差に相当するので、有機ＥＬ素子ＯＥＬに流れる発光駆動電流Ｉｂは、上記書込電流Ｉａと同等の電流値（Ｉｂ≒Ｉａ）を有することになる。
【００７６】
そして、当該表示画素ＥＭにおいて、書込動作期間Ｔwrtに書き込まれた表示データ（階調電流Ｉdata）に対応する電圧成分に基づいて、発光動作期間Ｔem中、薄膜トランジスタＴｒ１３を介して発光駆動電流Ｉｂが継続的に供給されることになり、有機ＥＬ素子ＯＥＬは当該表示データに応じた輝度階調で発光する動作を継続する。
【００７７】
このように、本実施形態に係る表示画素ＥＭ（発光駆動回路ＤＣ）によれば、書込動作期間Ｔwrtにおいて、表示データ（輝度階調）に応じた電流値を指定した階調電流Ｉdata（書込電流Ｉａ）を強制的に駆動トランジスタＴｒ１３のドレイン−ソース間に流して、その電流値に応じて保持される駆動トランジスタＴｒ１３のゲート−ソース間の電圧成分に基づいて、有機ＥＬ素子（発光素子）ＯＥＬに流す発光駆動電流Ｉｂを制御することにより、所定の輝度階調で発光動作させる電流階調指定方式の駆動制御方法を適用することができる。
【００７８】
また、本実施形態に係る表示画素ＥＭ（発光駆動回路ＤＣ）によれば、各表示画素ＥＭに設けられた発光駆動回路ＤＣを構成する単一の発光駆動用トランジスタ（薄膜トランジスタＴｒ１３）により、表示データに応じた階調電流Ｉdataの電流レベルを電圧レベルに変換する機能（電流／電圧変換機能）と、有機ＥＬ素子ＯＥＬに所定の電流値を有する発光駆動電流Ｉｂを供給する機能（発光駆動機能）の双方を実現することができるので、発光駆動回路ＤＣを構成する各トランジスタの動作特性のバラツキや経時変化の影響を受けることなく、長期間にわたり安定的に所望の発光特性を実現することができる。
【００７９】
＜表示装置の表示駆動方法＞
次に、本実施形態に係る表示装置における表示駆動方法（画像情報の表示動作）について説明する。
図９は、本実施形態に係る表示装置の表示駆動方法の第１の例を模式的に示したタイミングチャ−トである。なお、本実施形態においては、説明の都合上、便宜的に表示パネルに１２行（ｎ＝１２；第１行〜第１２行）の表示画素が配列された構成を有しているものとして説明する。また、図中、ｋは正の整数であり、図中の各行のクロスメッシュで示したハッチング部分は、各々、上述した表示データの書込動作期間を表しており、ドットで示したハッチング部分は、各々、上述した発光動作期間を表している。
【００８０】
本実施形態に係る表示装置１００の表示駆動方法は、まず、表示パネル１１０に配列された各行ごとの表示画素ＥＭ（発光駆動回路ＤＣ）に対して、表示データに応じた階調電流Ｉdataを書き込む動作を、全行について順次繰り返し、所定のタイミングで、予めグループ分けした複数行の表示画素ＥＭ（有機ＥＬ素子ＯＥＬ）ごとに、表示データ（階調電流）に応じた所定の輝度階調で一斉に発光動作させることにより、表示パネル１１０一画面分の画像情報が表示される。
【００８１】
ここで、本実施形態に係る表示駆動方法の第１の例は、具体的には、まず、表示パネル１１０に配列された全ての表示画素ＥＭを複数行ごとに予めグループ分けする。例えば、図９に示すように、表示パネル１１０を構成する１２行の表示画素ＥＭを、相互に隣接（連続）する１〜４行目、５〜８行目、９〜１２行目のように、各４行分の表示画素ＥＭを一組として３グループに分ける。
【００８２】
そして、１フレーム期間Ｔfr内の書込動作期間Ｔwrt（図中、クロスメッシュで表示）において、走査ドライバ１２０から表示パネル１１０の特定の行（例えば、ｉ行目；１≦ｉ≦１２）の走査ラインＳＬに対して、図６に示したように、選択レベル（ハイレベル）の走査信号Ｖselを印加することにより、当該ｉ行の表示画素ＥＭを選択状態に設定する。
【００８３】
この選択タイミングに同期して、データドライバ１４０から表示データに応じた電流値を有する階調電流Ｉdataを、各データラインＤＬに供給することにより、当該ｉ行の各表示画素ＥＭの発光駆動回路ＤＣに設けられた薄膜トランジスタＴｒ１３のゲート−ソース端子間（コンデンサＣｓの両端）に、階調電流Ｉdataに応じた電圧成分が保持（電荷が蓄積）される。
このような書込動作は、当該ｉ行が含まれるグループの全ての行の表示画素ＥＭについて、相互に時間的に重ならないように順次実行される。
【００８４】
ここで、当該書込動作期間Ｔwrtにおいては、書込動作が行われているｉ行目の電源ラインＶＬ、及び、当該ｉ行と同一のグループに含まれる他の行の電源ラインＶＬに対して、ローレベルの電源電圧Ｖsc（＝Ｖｓ）が印加されることにより、各表示画素ＥＭにおいて発光駆動用の薄膜トランジスタＴｒ１３を介して有機ＥＬ素子ＯＥＬ方向に発光駆動電流Ｉｂは流れないので、当該グループに含まれる全ての行の表示画素ＥＭが非発光状態に設定される（非発光動作する）。
【００８５】
次いで、図９に示すように、発光動作期間Ｔem（図中、ドットハッチングで表示）においては、図６に示したように、走査ドライバ１２０から当該ｉ行の走査ラインＳＬに対して、非選択レベル（ローレベル）の走査信号Ｖselを印加することにより、当該ｉ行の各表示画素ＥＭを非選択状態に設定する。また、データドライバ１４０から各データラインＤＬへの階調電流Ｉdataの供給が遮断される。
【００８６】
そして、このタイミングに同期して、電源ドライバ１３０から当該ｉ行の電源ラインＶＬ、及び、当該ｉ行と同一のグループに含まれる他の行の電源ラインＶＬに対して、ハイレベルの電源電圧Ｖsc（＝Ｖｅ）が印加されることにより、ｉ行及び当該ｉ行と同一のグループに含まれる他の行の各表示画素ＥＭ（発光駆動用の薄膜トランジスタＴｒ１３のゲート−ソース間）に充電された電圧成分に基づいて、表示データ（階調電流Ｉdata）に応じた発光駆動電流Ｉｂが有機ＥＬ素子ＯＥＬに供給されて、所定の輝度階調で発光動作が行われる。
【００８７】
このような発光動作は、当該ｉ行が含まれるグループの全ての行の表示画素ＥＭについて上記書込動作が終了したタイミングに同期して（終了直後から）、当該グループに含まれる全ての行の表示画素について開始され、当該グループのいずれかの行について次の書込動作を開始するタイミング（開始直前）まで継続して実行される。
【００８８】
すなわち、例えば、１〜４行目の表示画素ＥＭを一組とするグループにおいては、１行目の表示画素ＥＭから順に、上記書込動作が実行され、４行目の表示画素ＥＭについて書込動作が終了するまでの間、当該グループに含まれる１〜４行目の全ての行の表示画素ＥＭが非発光動作する。
【００８９】
そして、１〜４行目の全ての行の表示画素ＥＭについて書込動作が終了したタイミングで、各表示画素ＥＭに書き込まれた表示データ（階調電流Ｉdata）に基づいて、当該グループに含まれる１〜４行目の全ての行の表示画素ＥＭが一斉に発光動作する。この発光動作は、１行目の表示画素ＥＭに対して、次の１フレーム期間Ｔfrにおいて書込動作が開始されるタイミングまで継続される。
【００９０】
また、上記４行目の表示画素ＥＭについて書込動作が終了したタイミングで、５〜８行目の表示画素ＥＭを一組とするグループにおいて、５行目の表示画素ＥＭから順に、上記書込動作が実行される。以下、同様の動作が次のグループの１２行目の表示画素ＥＭについて書込動作が終了するまで繰り返し実行される。
【００９１】
このように、書込動作を各行ごとに所定のタイミングで順次実行し、予め設定された各グループについて、各グループに含まれる全ての行の表示画素ＥＭに書込動作が終了するまで非発光動作し、当該グループに含まれる全ての行の表示画素ＥＭに書込動作が終了した時点で、当該グループの全ての表示画素ＥＭが一斉に発光動作するように駆動制御する。
【００９２】
このような表示駆動動作は、図２に示した電源ドライバ１３０においては、書込動作時において当該書込動作が実行されている行と同一のグループに含まれる全ての行の電源ラインＶＬに対して、ローレベルの電源電圧Ｖsc（＝Ｖｓ）を個別に印加し、一方、発光動作時においては上記書込動作が全て終了したグループに含まれる全ての行の電源ラインＶＬに対して、ハイレベルの電源電圧Ｖsc（＝Ｖｅ）を個別に印加するように制御することにより実現することができる。また、図４に示した電源ドライバ１３０においては、各グループごとに分岐して配設された単一の電源ラインＶＬに対して、単一の電源電圧Ｖsc（＝Ｖｓ）を印加することによっても同様の駆動制御を実現することができる。
【００９３】
したがって、このような表示装置の表示駆動方法によれば、同一グループ内の各行の表示画素に書込動作を実行する期間中、当該グループに含まれる表示画素（発光素子）の発光動作が行われず、非発光状態（非表示状態）に設定することができるので、１フレーム期間のうち、一定期間のみ表示データに応じた輝度階調で発光動作する擬似インパルス型の表示駆動制御を実現することができる。
【００９４】
特に、図９に示したタイミングチャートにおいては、表示パネル１１０を構成する１２行の表示画素ＥＭを、３組にグループ分けして、各グループごとに異なるタイミングで一斉に非発光動作及び発光動作を実行するように制御されるので、１フレーム期間Ｔfrにおける上記非発光動作による非表示期間の比率（黒挿入率）を概ね３３％に設定することができる。ここで、人間の視覚において、動画像をボケやにじみがなく鮮明に視認するためには、一般に、概ね３０％以上の黒挿入率を有していることが目安になるので、本実施形態によれば、良好な表示画質で動画像を表示することができる表示装置を実現することができる。
【００９５】
また、この場合、従来技術に示した表示駆動方法（図１６参照）と同様に、１フレーム期間Ｔfrの全時間を用いて表示パネル１１０の全行（１２行分）の表示画素ＥＭに対して、順次書込動作を実行することができるので、図１７に示した表示駆動方法のように、ブランキングデータの書込動作及び黒表示動作を実行するために、各行における書込動作期間Ｔwrt（従来技術における映像データ書込期間に相当する）が短縮されることがなく、各行の書込時間を充分に確保することができ、表示データの書込不足に起因する表示品質の低下を抑制して、表示データに応じた適切な階調表示を実現することができる。また、これにより、各種信号のタイミング制御に余裕を持たせることができるので、表示装置の誤動作の発生を抑制することができる。
【００９６】
次に、本実施形態に係る表示装置に適用可能な表示駆動方法の第２の例について、図面を参照して説明する。
図１０は、本実施形態に係る表示装置の表示駆動方法の第２の例を模式的に示したタイミングチャ−トである。ここで、上述した第１の例（図９参照）と同等の表示駆動方法については、その説明を簡略化する。
【００９７】
本実施形態に係る表示装置１００の表示駆動動作の第２の例は、図１０に示すように、１フレーム期間Ｔfr内に、表示パネル１１０に配列され、相互に隣接（連続）しない複数行の表示画素ＥＭを一組としてグループ分けし、各グループにおいて各行ごとの表示画素ＥＭに対して、上記書込動作をタイミングをずらして順次実行する動作を、各グループごとに順次実行する。
具体的には、例えば、図１０に示すように、表示パネル１１０を構成する１２行の表示画素ＥＭを、１、４、７、１０行目、２、５、８、１１行目、３、６、９、１２行目のように、各々４行分の表示画素ＥＭを一組として３グループに分ける。
【００９８】
そして、例えば、１、４、７、１０行目の表示画素ＥＭを一組とするグループにおいて、１行目の表示画素ＥＭから順に、上記書込動作が実行され、１０行目の表示画素ＥＭについて書込動作が終了するまでの間、当該グループに含まれる１、４、７、１０行目の全ての行の表示画素ＥＭが非発光動作する。
【００９９】
そして、１、４、７、１０行目の全ての行の表示画素ＥＭについて書込動作が終了したタイミングで、各表示画素ＥＭに書き込まれた表示データ（階調信号）に基づいて、当該グループの４行分の表示画素ＥＭが一斉に発光動作する。この発光動作は、１行目の表示画素ＥＭに対して、次の書込動作が開始されるタイミングまで継続される。
【０１００】
また、上記１０行目の表示画素ＥＭについて書込動作が終了したタイミングで、２、５、８、１１行目の表示画素ＥＭを一組とするグループにおいて、２行目の表示画素ＥＭから順に、上記書込動作が実行される。以下、同様の動作が次のグループの１２行目の表示画素ＥＭについて書込動作が終了するまで繰り返し実行される。
【０１０１】
このように、第２の例に係る表示駆動動作においても、上述した第１の例と同様に、書込動作を各行ごとに所定のタイミングで順次実行し、予め設定された各グループについて、各グループに含まれる全ての行の表示画素ＥＭに書込動作が終了するまで非発光動作し、当該グループに含まれる全ての行の表示画素ＥＭに書込動作が終了した時点で、当該グループの全ての表示画素ＥＭを一斉に発光動作するように駆動制御する。
【０１０２】
なお、このような表示駆動動作は、上述した第１の例と同様に、同一グループのいずれかの行の表示画素ＥＭに対して、書込動作が実行されている期間中、電源ドライバ1３０から当該グループの各行の電源ラインＶＬに印加される電源電圧Ｖscをローレベル（Ｖｓ）の状態に設定し、同一グループの全ての行の表示画素ＥＭに対する書込動作が終了した後、当該グループに含まれる全ての行の電源ラインＶＬにハイレベルの電源電圧Ｖsc（＝Ｖｅ）を印加するように制御することにより実現することができる。
【０１０３】
したがって、このような表示装置の表示駆動方法によっても、上述した第１の例に係る表示駆動方法と同様に、各グループごとに１フレーム期間Ｔfr中の一定期間のみ、表示データに応じた輝度階調で発光動作が実行されるとともに、当該発光動作期間以外の期間において、非発光動作が実行される擬似インパルス型の表示駆動制御を実現することができる。ここで、本表示駆動方法においても、当該非発光動作による非表示期間の比率（黒挿入率）を概ね３３％に設定することができるので、動画像のボケやにじみを抑制して鮮明さを向上させた表示装置を実現することができる。
【０１０４】
また、この場合においても、１フレーム期間Ｔfrの全時間を用いて表示パネル１１０の全行（１２行分）の表示画素ＥＭに対して、順次書込動作が実行されるので、図１６に示した表示駆動方法と同様に、各行の書込時間を充分に確保することができ、表示データの書込不足に起因する表示品質の低下を抑制して、表示データに応じた適切な階調表示を実現することができる。
【０１０５】
なお、上述した第１、第２の例に係る表示駆動方法においては、表示パネル１１０を構成する表示画素ＥＭを、３組にグループ分けした場合について説明したが、本発明はこれに限定されるものではなく、例えば、上記グループ数を適宜増減させて設定したものであってもよいことはいうまでもない。
【０１０６】
以下に、上述した第１、第２の例に係る表示駆動方法の変形例を示す。
図１１は、本実施形態に係る表示装置の表示駆動方法の第１の例の変形例（その１）を模式的に示したタイミングチャ−トであり、図１２は、本実施形態に係る表示装置の表示駆動方法の第２の例の変形例（その１）を模式的に示したタイミングチャ−トである。また、図１３は、本実施形態に係る表示装置の表示駆動方法の第１の例の変形例（その２）を模式的に示したタイミングチャ−トであり、図１４は、本実施形態に係る表示装置の表示駆動方法の第２の例の変形例（その２）を模式的に示したタイミングチャ−トである。
【０１０７】
上述した第１及び第２の例に係る表示装置の表示駆動方法の変形例（その１）においては、例えば、図１１、図１２に示すように、表示パネル１１０を構成する表示画素ＥＭを、４組にグループ分けして（図１１では１〜３行目、４〜６行目、７〜９行目、１０〜１２行目の４グループ、図１２では１、５、９行目、２、６、１０行目、３、７、１１行目、４、８、１２行目の４グループ）、各グループごとに異なるタイミングで一斉に発光動作を実行するように制御する。
【０１０８】
この場合、同一グループの特定の行の表示画素ＥＭに対して書込動作が実行されている期間中、当該グループ内の他の行の表示画素が非発光状態（非表示状態）に設定されることにより、１フレーム期間Ｔfrにおける非表示期間の比率（黒挿入率）は２５％となり、上述したような動画像のボケやにじみが視認されない目安である３０％をやや下回るものの、比較的良好な表示画質を有する表示装置を実現することができる。
【０１０９】
また、上述した第２及び第３の例に係る表示装置の表示駆動方法の変形例（その２）においては、例えば、図１３、図１４に示すように、表示パネル１１０を構成する表示画素ＥＭを、２組にグループ分けして（図１３では１〜６行目、７〜１２行目の２グループ、図１４では奇数行目、偶数行目の２グループ）、各グループごとに異なるタイミングで一斉に発光動作を実行するように制御する。
【０１１０】
この場合、１フレーム期間Ｔfrにおける上記非発光動作による非表示期間の比率（黒挿入率）は５０％となり、上述したような動画像のボケやにじみが視認されない目安である３０％を上回るものの、発光動作期間が１フレーム期間Ｔfrの半分に過ぎなくなるため、画像情報を充分な発光輝度で表示することが困難になる可能性がある。そこで、例えば、電源ドライバ１３０から電源ラインＶＬを介して各表示画素に印加されるハイレベルの電源電圧Ｖscの電圧値を高く設定して、各表示画素における発光輝度を適宜増大させることにより、画像情報を充分な輝度で、かつ、良好な表示画質で表示することができる。
【０１１１】
なお、上述した実施形態においては、図３に示したように、各表示画素ＥＭに設けられる発光駆動回路ＤＣとして、３個の薄膜トランジスタＴｒ１１〜Ｔｒ１３を備えた回路構成を示して説明したが、本発明はこれに限定されるものではない。すなわち、電流階調指定方式に対応した発光駆動回路であって、単一の薄膜トランジスタを用いて、表示データに応じた階調信号に対応した電圧成分（電荷）をコンデンサ又は寄生容量に保持（蓄積）する電圧保持機能、並びに、該保持された電圧成分及び電源電圧Ｖscに基づいて発光素子（有機ＥＬ素子ＯＥＬ）に供給する発光駆動電流の電流値を制御する発光駆動機能を有するものであれば、他の回路構成を有するものであってもよいことはいうまでもない。
【図面の簡単な説明】
【０１１２】
【図１】本発明に係る表示装置の全体構成の一例を示す概略ブロック図である。
【図２】本実施形態に係る表示装置に適用される表示パネル及びその周辺回路（走査ドライバ、データドライバ、電源ドライバ）の一例を示す要部構成図である。
【図３】本実施形態に係る表示装置に適用される表示画素（発光駆動回路）の一実施形態を示す回路構成図である。
【図４】本実施形態に係る表示装置に適用される表示パネル及びその周辺回路（走査ドライバ、データドライバ、電源ドライバ）の他の例を示す要部構成図である。
【図５】本実施形態に係る表示装置に適用可能なデータドライバの一例を示す概略ブロック図である。
【図６】本実施形態に係る表示装置に適用される表示画素における駆動制御方法（書込動作、非発光動作、発光動作）を示すタイミングチャートである。
【図７】本実施形態に係る表示画素（発光駆動回路）における書込動作及び非発光動作を示す概念図である。
【図８】本実施形態に係る表示画素（発光駆動回路）における発光動作を示す概念図である。
【図９】本実施形態に係る表示装置の表示駆動方法の第１の例を模式的に示したタイミングチャ−トである。
【図１０】本実施形態に係る表示装置の表示駆動方法の第２の例を模式的に示したタイミングチャ−トである。
【図１１】本実施形態に係る表示装置の表示駆動方法の第１の例の変形例（その１）を模式的に示したタイミングチャ−トである。
【図１２】本実施形態に係る表示装置の表示駆動方法の第２の例の変形例（その１）を模式的に示したタイミングチャ−トである。
【図１３】本実施形態に係る表示装置の表示駆動方法の第１の例の変形例（その２）を模式的に示したタイミングチャ−トである。
【図１４】本実施形態に係る表示装置の表示駆動方法の第２の例の変形例（その２）を模式的に示したタイミングチャ−トである。
【図１５】従来技術におけるアクティブマトリックス型の表示装置の要部を示す概略構成図である。
【図１６】従来技術におけるアクティブマトリックス型の表示装置の表示駆動方法の一例（ホールド型）を模式的に示したタイミングチャートである。
【図１７】従来技術におけるアクティブマトリックス型の表示装置の表示駆動方法の他の例（擬似インパルス型）を模式的に示したタイミングチャートである。
【符号の説明】
【０１１３】
１００      表示装置
１１０      表示パネル
１２０      走査ドライバ
１３０      電源ドライバ
１４０      データドライバ
１５０      システムコントローラ
ＥＭ        表示画素
ＤＣ        発光駆動回路
ＳＬ        走査ライン
ＶＬ        電源ライン
ＤＬ        データライン
Ｔｒ１１〜Ｔｒ１３      薄膜トランジスタ
Ｃｓ        コンデンサ
ＯＥＬ      有機ＥＬ素子
【図１】
2006330140.tif 000003
【図２】
2006330140.tif 000004
【図３】
2006330140.tif 000005
【図４】
2006330140.tif 000006
【図５】
2006330140.tif 000007
【図６】
2006330140.tif 000008
【図７】
2006330140.tif 000009
【図８】
2006330140.tif 000010
【図９】
2006330140.tif 000011
【図１０】
2006330140.tif 000012
【図１１】
2006330140.tif 000013
【図１２】
2006330140.tif 000014
【図１３】
2006330140.tif 000015
【図１４】
2006330140.tif 000016
【図１５】
2006330140.tif 000017
【図１６】
2006330140.tif 000018
【図１７】
2006330140.tif 000019